(57)【要約】【課題】撮影装置に装着される照明装置を介して、測位システムで用いられる、測位に使用される信号を受信して、測位システムを使用できるようにする。【解決手段】撮影装置の撮影動作に応じて発光制御される発光部と、測位に用いられる信号を受信し得る増設受信部と、増設受信部で受信した信号を増幅する増幅部と、増幅された信号を撮影装置に送信する送信部とを具備することを特徴とする照明装置を用い、照明装置で測位信号を中継して撮影装置に送信する。【選択図】図１
2014044314.tif 000002
【特許請求の範囲】
【請求項１】
装着手段を介して撮影装置に装着される撮影装置用の照明装置であって、
撮影装置の撮影動作に応じて発光制御される発光部と、
測位に用いられる信号を受信し得る増設受信部と、
増設受信部で受信した信号を増幅する増幅部と、
増幅された信号を撮影装置に送信する送信部と
を具備する撮影装置用の照明装置。
【請求項２】
測位用の信号が、測位情報衛星から発信され、
照明装置が撮影装置に装着され、撮影装置が撮影状態に保持されたときに、
照明装置の増設受信部が、測位情報衛星から発信される信号を受信し得る位置に設けられる
ことを特徴とする請求項１に記載の測位システムを利用する撮影装置に装着される照明装置。
【請求項３】
撮影装置が、測位に用いられる信号を受信し得る本体受信部を有するものであって、
送信部が、撮影装置の本体受信部に向けて増幅された信号を送信する請求項１または２に記載の撮影装置用の照明装置。
【請求項４】
送信部が、撮影装置の本体受信部に対面して設けられる請求項３に記載の撮影装置用の照明装置。
【請求項５】
送信部が、撮影装置に接続回線を介して接続され、増幅された信号を撮影装置に接続回線を介して送出する請求項１または２に記載の撮影装置用の照明装置。
【請求項６】
撮影装置が、少なくとも撮影した画像情報を出力する画像情報出入力手段を有するものであって、
照明装置が、
撮影装置から出力された画像情報を受け入れ得る画像情報入力手段と、
増設受信部で受信した信号から測位情報を生成する測位情報処理部と、
測位情報処理部で生成された測位情報を、画像情報入力手段を介して受け入れられた画像情報に付加する測位情報付加手段と
を具備する請求項５に記載の撮影装置用の照明装置。
【請求項７】
測位情報が付加された測位情報付き画像情報を、撮影装置に出力する測位情報付き画像情報出力手段を具備する請求項６に記載の撮影装置用の照明装置。
【請求項８】
発光部の動作時に、増設受信部による受信動作、増幅部による信号の増幅動作、及び、送信部の送信動作が停止する請求項１から７のいずれかに記載の撮影装置用の照明装置。
【請求項９】
発光部と増設受信部の間に絶縁材を設け、増設受信部を高圧電圧から保護する請求項１から８のいずれかに記載の撮影装置用の照明装置。
【請求項１０】
ＧＰＳ測位装置を備え、増設受信部が、ＧＰＳ測位装置の受信部である請求項１から９のいずれかに記載の撮影装置用の照明装置。
【請求項１１】
送信部が、ＧＰＳ測位装置で生成される測位情報を出力する請求項１０に記載の撮影装置用の照明装置。
【請求項１２】
ＧＰＳ測位装置が測位情報の処理を実行し、処理された測位情報を撮影装置に送信する請求項１０または１１に記載の撮影装置用の照明装置。
【請求項１３】
増設受信部が、照明装置本体と接続手段を介して接続された状態で、照明装置本体から離脱可能に設けられる請求項１から１２のいずれかに記載の撮影装置用の照明装置。
【請求項１４】
増設受信部で受信した測位に用いられる信号の形式を、撮影装置で受信可能な測位用の信号の種類に応じ、変換する変換部を備え、
撮影装置で受信できない形式の信号を、受信可能な信号に変換して中継する請求項１から１３のいずれかに記載の撮影装置用の照明装置。
【発明の詳細な説明】
【技術分野】
【０００１】
本発明は、撮影装置に装着される照明装置であって、例えば、全地球測位システムのような測位システムを利用し、撮影された画像、映像等に、撮影位置、時刻等の情報を付与することを可能にする撮影装置用の照明装置に関する。
【背景技術】
【０００２】
例えば、デジタルカメラ、撮影機能付きの携帯電話、撮影機能付きの携帯端末、スマートフォンのような撮影装置の一部には、特許文献１（特開２０１２−９０１９０）に開示されるような撮影位置データを管理する機能が設けられている。
この撮影位置データは、例えば、全地球測位システム（ＧＰＳ：global positioning system）を利用するものであって、ＧＰＳ衛星から発信される信号を、撮影装置に設けられたＧＰＳ受信機で受け取ることにより得られるものである。
【０００３】
このようにして得られたデータは、撮影装置で撮影され、格納された画像や映像のファイルに埋め込まれるか、関連付けられるなどして、格納された画像等のファイルを介して、撮影位置を特定し得るものである。
なお、本発明における「画像」は、単に静止画像のみを示すものではなく、動画のような映像も含むものとする。
このような撮影装置には、ＧＰＳ衛星からの信号を受信するアンテナとして機能する受信部が設けられる。
【０００４】
この受信部は、撮影装置が撮影状態にあるときに、ＧＰＳ衛星からの信号を受信し得る状態である必要があるので、撮影時にＧＰＳ衛星の方向を向く位置、即ち、撮影装置の上面に設けられる。
なお、本明細書における「上下」方向は、通常の撮影状態で撮影装置を構えた状態、具体的には、例えば、一般的な一眼レフカメラの場合、カメラのシャッタボタンがカメラの上面に位置する状態であって、カメラの上部にスピードライト等の照明装置を増設し得る状態における上下方向を示すものとする。
【０００５】
ところで、撮影装置には、スピードライト等の補助的な照明装置を装着できるタイプのものがある。
このような照明装置は、通常、撮影装置の上面に設けられた装着部に装着される。
このため、照明装置の装着中は、照明装置が、受信部が受光すべきＧＰＳ衛星からの信号を遮ることがあり、ＧＰＳ機能を利用した測位が中断、または、中止され、適正な撮影位置データの管理ができなくなる、という問題があった。
【０００６】
また、測位システムを利用する機能を有しない撮影装置では、従来は、撮影した画像に撮影位置データを関連付けたり、埋め込んだりすることはできなかった。
【先行技術文献】
【特許文献】
【０００７】
【特許文献１】特開２０１２−９０１９０号公報
【発明の概要】
【発明が解決しようとする課題】
【０００８】
本発明は、上記の問題を解決するためになされたものであって、撮影装置に装着される照明装置を介して、測位システムで用いられる、測位に使用される信号を受信して、測位システムを使用できるようにすることを目的とする。
なお、測位に使用される信号としては、例えば、ＧＰＳ衛星から発信される測位用の信号の他、携帯電話の基地局から発進される測位用の信号などが挙げられる。
【課題を解決するための手段】
【０００９】
上記目的を達成するため、本発明の第１発明に係る、装着手段を介して撮影装置に装着される撮影装置用の照明装置は、
撮影装置の撮影動作に応じて発光制御される発光部と、
測位に用いられる信号を受信し得る増設受信部と、
増設受信部で受信した信号を増幅する増幅部と、
増幅された信号を撮影装置に送信する送信部と
を具備することを特徴とする。
なお、本明細書において、送信部によって送信される、増幅された信号は、特に限定のない限り、有線及び無線の何れであってもよい。
【００１０】
また、第２発明に係る撮影装置用の照明装置は、上記の発明において、
測位用の信号が、測位情報衛星から発信され、
照明装置が撮影装置に装着され、撮影装置が撮影状態に保持されたときに、
照明装置の増設受信部が、測位情報衛星から発信される信号を受信し得る位置に設けられることを特徴とする。
【００１１】
また、第３発明に係る撮影装置用の照明装置は、上記の発明において、
撮影装置が、測位に用いられる信号を受信し得る本体受信部を有するものであって、
送信部が、撮影装置の本体受信部に向けて増幅された信号を送信することを特徴とする。
【００１２】
また、第４発明に係る撮影装置用の照明装置は、上記の発明において、送信部が、撮影装置の本体受信部に対面して設けられることを特徴とする。
【００１３】
また、第５発明に係る撮影装置用の照明装置は、上記の発明において、送信部が、撮影装置に接続回線を介して接続され、増幅された信号を撮影装置に接続回線を介して送出することを特徴とする。
【００１４】
また、第６発明に係る撮影装置用の照明装置は、上記の発明において、
撮影装置が、少なくとも撮影した画像情報を出力する画像情報出入力手段を有するものであって、
照明装置が、
撮影装置から出力された画像情報を受け入れ得る画像情報入力手段と、
増設受信部で受信した信号から測位情報を生成する測位情報処理部と、
測位情報処理部で生成された測位情報を、画像情報入力手段を介して受け入れられた画像情報に付加する測位情報付加手段と
を具備することを特徴とする。
【００１５】
また、第７発明に係る撮影装置用の照明装置は、上記の発明において、測位情報が付加された測位情報付き画像情報を、撮影装置に出力する測位情報付き画像情報出力手段を具備することを特徴とする。
【００１６】
また、第８発明に係る撮影装置用の照明装置は、上記の発明において、発光部の動作時に、増設受信部による受信動作、増幅部による信号の増幅動作、及び、送信部の送信動作が停止することを特徴とする。
【００１７】
また、第９発明に係る撮影装置用の照明装置は、上記の発明において、発光部と増設受信部の間に絶縁材を設け、増設受信部を高圧電圧から保護することを特徴とする。
【００１８】
また、第１０発明に係る撮影装置用の照明装置は、上記の発明において、ＧＰＳ測位装置を備え、増設受信部が、ＧＰＳ測位装置の受信部であることを特徴とする。
【００１９】
また、第１１発明に係る撮影装置用の照明装置は、上記の発明において、送信部が、ＧＰＳ測位装置で生成される測位情報を出力することを特徴とする。
【００２０】
また、第１２発明に係る撮影装置用の照明装置は、上記の発明において、ＧＰＳ測位装置が測位情報の処理を実行し、処理された測位情報を撮影装置に送信することを特徴とする。
【００２１】
また、第１３発明に係る撮影装置用の照明装置は、上記の発明において、増設受信部が、照明装置本体と接続手段を介して接続された状態で、照明装置本体から離脱可能に設けられることを特徴とする。
【００２２】
また、第１４発明に係る撮影装置用の照明装置は、上記の発明において、
増設受信部で受信した測位に用いられる信号の形式を、撮影装置で受信可能な測位用の信号の種類に応じ、変換する変換部を備え、
撮影装置で受信できない形式の信号を、受信可能な信号に変換して中継することを特徴とする。
【発明の効果】
【００２３】
第１発明によれば、撮影装置に照明装置が装着された状態で、測位に用いられる信号を適切に受信し、その信号を撮影装置で利用可能に供給できるようになり、照明装置の装着によって、測位に用いられる信号の受信が阻害されて、測位システムの利用が不可となることがない。
【００２４】
第２発明によれば、測位情報衛星から発信された測位用の信号が、撮影装置に装着された照明装置によって遮られて、撮影装置で信号の受信ができなくなり、測位システムの利用が不可となることがない。
【００２５】
第３発明によれば、撮影装置に設けられた本体受信部に対し、測位用の信号を、照明装置を中継して送信できるので、極めて良好な状態で測位システムを利用できるようになる。
【００２６】
第４発明によれば、照明装置の送信部が、撮影装置の本体受信部に向けて、信号を送信するので、送信される信号が、例えば、測位情報衛星から発信される信号と同一種類のものであれば、撮影装置の受信設定を何ら変更することなく、照明装置の装着の有無とは無関係に撮影装置を操作して、測位システムを適切に利用することが可能になる。
【００２７】
第５発明によれば、撮影装置が、測位用の信号を直接受信する機能を有しない場合でも、例えば、接続回線や、接続端子等を介して、撮影装置に対して、測位用の信号情報を提供できるようになり、単体では、測位システムの利用ができない撮影装置で、測位システムの利用が可能になる。
【００２８】
第６発明によれば、撮影装置に、測位システムを利用する機能が搭載されていない場合でも、撮影装置で生成された画像情報に対し、照明装置で、測位情報を付加することができ、測位システムの利用機会を広げることができる。
【００２９】
第７発明によれば、照明装置で測位情報が付加された画像情報を、撮影装置に戻して、撮影装置に格納させて管理することができるので、測位システムが利用できない撮影装置でも、測位情報が付加された画像情報を扱うことができ、測位システムの利用機会を拡げることができる。
【００３０】
照明装置の発光部が発光すると、測位用の信号の受信、増幅、発信の適切な動作が阻害される可能性があるが、第８発明によれば、発光部の発光に伴う動作エラーを防止することが可能になる。
【００３１】
第９発明によれば、照明装置の発光部が、例えば、キセノン管のような高圧電圧を要するものである場合、増設受信部が発光部の発光によって毀損することを防止することが可能になる。
【００３２】
第１０発明から第１２発明によれば、既存のＧＰＳ測位装置を利用するので、構成要素の汎用化、小型化、品質の向上、コスト抑制を実現可能です。
【００３３】
第１３発明によれば、例えば、受信アンテナのような、測位用の信号を受信する増設受信部が照明装置本体から離脱可能であるので、測位用の信号を受信できない位置、例えば屋内でも、照明装置本体から増設受信部のみを取り外し、増設受信部のみを信号を受信しうる位置に移動させることにより、測位システムを利用した撮影画像を生成することができるようになる。
【００３４】
第１４発明によれば、撮影装置で直接処理することができない形式の測位システムが運用されている場合、処理できない形式の信号を、処理可能な形式の信号に変換した上で利用できるようになり、測位システムの利用機会が増え、様々な測位システムの相互利用が可能になる。
【図面の簡単な説明】
【００３５】
【図１】図１は本発明に係る撮影装置用の照明装置の実施例１を、撮影装置に装着した状態を示す正面図である。
【図２】図２は図１の側面図である。
【図３】図３は本発明に係る撮影装置用の照明装置の実施例２を、撮影装置に装着した状態の構成を示すブロック説明図である。
【図４】図４は図３に示した実施例２の作動状態を示すフローチャートである。
【図５】図５は本発明に係る撮影装置用の照明装置の実施例３を、撮影装置に装着した状態の構成を示す側面図である。
【図６】図６は本発明に係る撮影装置用の照明装置の実施例４を、撮影装置に装着した状態の構成を示す側面図である。
【発明を実施するための形態】
【００３６】
本発明は、撮影装置に装着されるスピードライトのような照明装置で、例えば、ＧＰＳシステムのような測位システムで、測位に用いられる信号を受信させ、受信した測位に用いられる信号を、撮影装置で撮影された画像に組み合わせたり、関連付けたりすることにより、測位情報を含む画像を確実に生成できるようにした。
【実施例１】
【００３７】
図１及び図２に基づき、実施例１の基本的な構造について説明する。
なお、本願発明において、照明装置１及び撮影装置２の基本的な構成及び機能は、従来公知のものと同様であるので、本願発明に関連性のない汎用の構成等についての説明は省略する。
【００３８】
図中、１は後述する撮影装置に装着される照明装置、１０は照明装置に設けられる発光部、１１は照明装置に設けられる増設受信部、１２は照明装置の動作及び制御に必要構成が収容される制御部筐体、１２０は制御部筐体内に設けられる増幅部、１３は照明装置に設けられる送信部、１４は照明装置に設けられる装着手段、２は撮影装置、２０は撮影装置に設けられる本体受信部、２１は撮影装置のシャッタボタン、２２は撮影装置のレンズである。
【００３９】
照明装置１は、例えば、撮影装置２に外付けされるスピードライトである。
照明装置１は、撮影時に発光制御される発光部１０と、撮影装置１の上面に設けられる増設受信部１１と、発光部１０の下方に設けられる制御部筐体１２と、制御部筐体１２の下方に設けられる装着手段１４と、照明装置１の下方に設けられる送信部１３とからなる。
【００４０】
なお、既に説明した通り、本明細書における上下方向は、撮影装置の撮影装置を構えた状態における上下方向を示すので、照明装置１が撮影装置２に装着された状態で、撮影装置２を１８０度回転させて縦に構えたときには、照明装置１の下方向は、照明装置１に対して撮影装置２が位置する方向を示すことになる。
発光部１０は、後述する撮影装置２の撮影操作に応じ、発光制御される。
【００４１】
増設受信部１１は、図示しない測位システムの測位情報衛星から発信される信号を受信し得るものである。
制御部筐体１２は、内部に増幅部１２０を備える。
増幅部１２０は、増設受信部１１が受信した信号を増幅し、増幅した信号を送信部１３に出力する。
なお、この制御部筐体１２には、照明装置１の構成の作動を制御する図示しない制御部が設けられる。
【００４２】
送信部１３は、入力された信号を送信するものであって、例えば、後述する撮影装置２の本体受信部２０に対面するように、照明装置１を撮影装置２に装着した状態で、送信部１３から送信された信号を本体受信部２０で受信し得る位置に設けられる。
装着手段１４は、撮影装置２の、増設用発光装置を装着するための図示しない装着部に係合し得るものであり、照明装置１は、装着手段１４を介して、図１に示したように、撮影装置２に装着される。
【００４３】
また、装着手段１４には、照明装置１を撮影装置２に装着することにより、撮影装置２内の回路に接続される図示しない端子機能が備えられており、装着手段１４の端子機能を介して、撮影装置２の撮影操作に応じて、照明装置１の作動を指令する信号が、撮影装置２内の図示しない回路に入力される。
【００４４】
撮影装置２は、例えば、汎用の一眼レフカメラであり、単独で、図示しない測位システムの測位情報衛星から発信される信号を受信し、受信した信号に基づき、撮影された画像に、撮影した位置の測位情報を付与する機能を有する。
なお、この測位情報を付与する構成自体は、既に周知であるので、具体的な説明は省略する。
本体受信部２０は、撮影装置２の上面に設けられ、撮影操作に応じて、測位情報衛星から発信される信号を受信する。
【００４５】
シャッタボタン２１は、撮影装置２の上面に設けられ、シャッタボタン２１を押すことにより、撮影装置２の撮影処理が開始されると共に、撮影条件に応じて必要な発光を要求する信号を、照明装置１の装着手段１４に備えられた端子機能を介して、送出する。
また、シャッタボタン２１の押圧操作により、撮影装置２の図示しない撮影制御手段に対し、本体受信部２０による信号の受信、及び、撮影された画像に対して撮影位置の測位情報を付与する処理の実行が指示される。
【００４６】
レンズ２２は、着脱式のレンズであっても、固定のレンズ、例えば、コンパクトカメラに用いられるようなレンズであってもよい。
また、このレンズ２２の設定情報は、照明装置１の発光制御の条件に反映されるようにしてもよい。
なお、撮影装置２は、上記の構成の作動を制御し、画像を生成、格納する処理を制御する図示しない制御部を有する。
【００４７】
以下、上記実施例１の動作について説明する。
まず、照明装置１が撮影装置２に装着され、照明装置１が使用可能な状態になると、図示しない制御部によって、増設受光部１１が、図示しない測位システムの測位情報衛星から発信される信号の受信を開始する処理が実行され、測位情報衛星から発信される信号を受信する。
【００４８】
次に、増設受光部１１で受信された信号は、増設部１２０で増幅処理される。
次に、増幅部１２０で増幅された信号は、送信部１３から送信（無線送信）される。
次に、撮影装置２は、本体受信部２０を介して測位システムの測位情報衛星から発信される信号の受信の処理を実行するが、このとき、本来であれば、本体受信部２０は、測位システムの測位情報衛星から発信される信号を直接受信する。
しかしながら、撮影装置２には照明装置１が装着されているため、照明装置１によって、測位情報衛星からの信号の少なくとも一部の受信が妨げられる。
【００４９】
このため、本体受信部２０は、照明装置１によって増幅され、送信部１３から送信された、増幅された信号を受信することになる。
次に、撮影装置２の図示しない制御部は、本体受信部２０を介して受信した信号に基づき、測位情報を生成する処理を実行する。
上記の照明装置１を介した測位のための信号の受信、増幅、及び、増幅された信号の送信と、撮影装置２による増幅された信号の受信、及び、測位情報を生成する処理は、照明装置１が使用可能に装着された撮影装置２において、例えば、予め定められた間隔や時期等に、撮影時期の前後に常時実行される。
【００５０】
次に、撮影装置２のシャッタボタン２１が押圧されると、撮影装置２の撮影処理が開始される。
次に、この撮影処理に伴い、発光を要求する信号が、装着手段１４の端子機能を介して照明装置１に出力される。
次に、照明装置１の発光部１０は、入力した発光を要求する信号に基づき、撮影処理の時期に応じて、所要の強さ、かつ、所要の発光パターンで、図示しない制御部によって作動制御され、発光する。
このとき、発光部１０の発光処理に伴い、照明装置１による増幅信号の送信、及び、撮影装置２による増幅信号の受信のうち、少なくとも、増幅信号の送信の処理が停止される。
また、増幅信号の送信の処理の中止と共に、照明装置１による信号の受信及び増幅の処理を停止させてもよい。
次に、発光部１０の発光が終了すると、図示しない制御部によって、照明装置１を介した増幅信号の発信、及び、撮影装置２による増幅信号を用いた測位情報の生成が再開される。
【００５１】
また、照明装置１に対し、撮影処理に応じた時期の発光を指示した撮影装置２は、その図示しない制御部が、撮影処理に応じた画像を生成する。
次に、撮影装置２の図示しない制御部は、生成された画像に、すでに生成されている測位情報を組み込んで、図示しない格納領域や記憶媒体に格納する処理を実行する。
上記のようにして、測位情報が組み込まれた画像は、例えば、測位情報を管理しうる地図アプリケーションに組み込むことにより、地図上の、その画像の撮影位置に、画像を貼り付けることが可能になったり、撮影位置を管理しうるアプリケーションを用いれば、撮影位置情報に基づくファイル管理が可能になったりする。
【実施例２】
【００５２】
次に、図３に基づき、実施例２について説明する。
この実施例では、測位システムとして、ＧＰＳ（全地球測位システム）を利用し、照明装置及び撮影装置は、それぞれ、少なくとも、ＧＰＳの位置情報衛星から発信された測位信号を受信するＧＰＳ測位装置を具備する。
【００５３】
なお、この実施例の主要な構成は、実施例１と同様であり、同一の名称の構成は、特に説明しない限り、実施例１と同様に機能するので、重複する説明は省略し、相違点を中心に以下に説明する。
【００５４】
図中、３は照明装置、３０は照明装置３の作動に使用される電力を供給する電源、３１は電源３０に接続され、電力の供給先を切り替える電源制御部、３２は電源制御部３１に接続され、電源制御部３１から電力の供給を受ける照明装置制御部、３３は照明装置制御部３２に接続され、照明装置制御部３２の指令に応じ発光する発光部、３４は、電源制御部３１に接続され、電源制御部３１から電力の供給を受けるＧＰＳ制御部、３５はＧＰＳ制御部に接続され、図示しないＧＰＳ（全地球測位システム）の測位情報衛星から発信される信号を受信する増設受信部、３６はＧＰＳ制御部３４に接続され、受信した信号を増幅する増幅部、３７は増幅部３６に接続され、増幅された信号を送信する送信部、３７０は増幅された測位信号である。
【００５５】
また、図中、４は撮影装置、４０は撮影装置４の作動に使用される電力を供給する電源、４１は電源４０に接続され、撮影装置の撮影処理を制御する撮影制御部、４１０は撮影制御部４１内に設けられ、撮影処理に応じて撮影によって取得される画像を生成する画像生成部、４１１は撮影制御部４１内に設けられ、生成された画像に測位情報を付加する測位情報付加部、４２はＧＰＳの測位情報から発信される信号を利用する測位処理を制御するＧＰＳ制御部、４２０はＧＰＳ制御部４２内に設けられ、ＧＰＳの測位情報衛星から発信される信号から測位情報を生成する測位情報生成部、４３はＧＰＳ制御部４２に接続され、ＧＰＳの測位情報衛星から発信される信号を受信し得る本体受信部、４４は撮影制御部に接続され、生成された画像を格納する格納部である。
【００５６】
電源３０は、例えば、充電式のバッテリであり、発光装置の作動及び制御に用いられる。
電源制御部３１は、図示しない接続ラインを介して、後述する撮影装置４の撮影制御部４１から発光を要求する信号が入力される。
【００５７】
また、電源制御部３１は、撮影制御部４１からの発光要求信号に応じ、後述する照明装置制御部３２及びＧＰＳ制御部３４に対する電源の供給を制御し、照明装置制御部３２及びＧＰＳ制御部３４の動作開始を制御する。
照明装置制御部３２は、後述の撮影装置４から入力される発光を要求する信号に基づいて動作する電源制御部３１から電力の供給を受け、発光を要求信号に応じて後述の発光部３３の発光動作を制御する。
【００５８】
発光部３３は、照明装置制御部３２の制御に応じ、撮影に必要な強さ、パターンで発光する。
ＧＰＳ制御部３４は、後述の撮影装置４から入力される発光を要求する信号に基づいて動作する電源制御部３１から電力の供給を受け、ＧＰＳの測位信号の取得処理の実行を制御する。
増設受信部３５は、ＧＰＳ制御部３４の制御に基づき、ＧＰＳの測位情報衛星からの信号を受信し、ＧＰＳ制御部３４に出力する。
【００５９】
なお、発光部３３が、例えばキセノン管のような発光装置を用いる場合、発光動作によって、強電界のため、増設受信部３５での信号の適正な受信が阻害される可能性が高い。
このため、少なくとも、発光部３３の発光中には、ＧＰＳ制御部３４及び増設受信部３５を介した信号の取得処理を停止させる必要があり、その制御は、電源制御部３１が行う。
【００６０】
このとき、電源制御部３１は、照明装置制御部３２及びＧＰＳ制御部３４に対する電力の供給を制御して、発光処理が実行されるときには、ＧＰＳの測位処理に優先して発光処理が実行され、少なくとも、測位信号の取得処理が停止するよう構成される。
増幅部３６は、ＧＰＳ制御部３４から、取得された測位信号を入力し、その信号を増幅して送信部３７に送出する。
送信部３７は、増幅された測位信号を発信する。
【００６１】
電源４０は、例えば、充電式のバッテリであり、撮影装置４の作動及び制御に用いられる。
撮影制御部４１は、撮影装置４の作動、具体的に、撮影、画像生成、測位情報生成、測位情報付加、撮影条件設定等の作動を制御するものであって、画像生成部４１０及び測位情報付加部４１１を有する。
画像生成部４１０は、図示しないシャッタボタンの操作に応じて取得された情報から画像情報を生成する。
【００６２】
測位情報付加部４１１は、画像生成部４１０で生成された画像情報に、後述するＧＰＳ制御部４２から出力される測位情報を付加する。
格納部４４は、例えば、メモリカードのような外部持ち出し可能な記憶媒体を備えたものであり、撮影制御部４１から画像情報の入力を受け、撮影制御部４１で生成された画像情報、及び、測位情報が付加された画像情報を格納する。
【００６３】
ＧＰＳ制御部４２は、ＧＰＳの運用を制御するものであって、測位情報生成部４２０を有する。
具体的には、ＧＰＳ制御部４２は、撮影制御部４１から制御信号に応じ、本体受信部４３に対し測位信号の受信を開始させ、本体受信部４３から測位信号を入力する。
【００６４】
測位情報生成部４２０は、本体受信部４３から入力した測位信号から測位情報を生成する。
この測位情報には、少なくとも、測位位置の座標を示す情報が含まれ、そのほかには、例えば、測位時刻を示す情報を含めてもよい。
また、ＧＰＳ制御部４２は、測位情報生成部４２０で生成された測位情報を撮影制御部４１に出力する。
本体受信部４３は、ＧＰＳ制御部４２から入力される測位信号の受信を指示する制御信号に応じて、信号を受信し、受信した測位信号をＧＰＳ制御部４２に出力する。
【００６５】
以下、図４に基づき、上記実施例２の動作について説明する。
まず、照明装置３が撮影装置４に装着され（ステップＳ１００）、照明装置３が使用可能な状態になると、電源制御部３１が、例えば、ＧＰＳ制御部３４に対する電力の供給を実施するなどして、増設受信部３５を介して、ＧＰＳの測位情報衛星から発信される信号の受信を開始させ、ＧＰＳ制御部３４が、ＧＰＳの測位信号を受信する（ステップＳ１０１）。
【００６６】
次に、取得されたＧＰＳの測位信号は、増幅部３６に出力され、増幅部３６で増幅される（ステップＳ１０２）。
次に、増幅部３６は、増幅された測位信号を送信部３７に出力し、送信部３７は、増幅された測位信号３７０を発信する（ステップＳ１０３）。
【００６７】
次に、撮影装置４の本体受信部４３が、増幅された測位信号３７０の受信処理を開始する（ステップＳ１０４）。
次に、ＧＰＳ制御部４２は、ＧＰＳ制御部４２に備えられた測位情報生成部４２０で、受信した測位信号に基づき、測位情報を生成する（ステップＳ１０５）。
【００６８】
次に、撮影装置４の図示しないシャッタボタンの押圧といった撮影操作がなされる（ステップＳ１０６）と、撮影装置４の撮影制御部４１が、撮影画像を取得する制御を開始し、画像取得処理が実行される（ステップＳ１０７）。
画像を取得する制御が開始されると、撮影環境、被写体、撮影者のニーズ等に応じた撮影設定で、画像取得処理が進められるが、この際、照明装置３の使用の有無が判断される（ステップＳ１０８）。
【００６９】
次に、照明装置３を使用する必要があるとき、撮影制御部４１は、照明装置３の電源制御部３１に、図示しない装着手段の端子機能を介して、発光制御信号を出力する（ステップＳ１０９）。
【００７０】
次に、発光制御信号を入力した電源制御部３１は、例えば、ＧＰＳ制御部３４に対する電力の供給を制限するなどして、増設受信部３５を介したＧＰＳの受信機能を停止する（ステップＳ１１０）と共に、照明装置制御部３２に電力を供給して、発光制御信号の指示内容に応じた光量及びパターンで発光が実行されるよう、発光部３３の発光を制御する（ステップＳ１１１）。
【００７１】
次に、発光部３３の発光制御により、撮影装置４の撮影時期に応じた撮影処理が実行され（ステップＳ１１２）、画像生成部４１０によって、画像が生成される（ステップＳ１１３）。
【００７２】
次に、ＧＰＳ制御部４２は、生成された測位情報を撮影制御部４１に出力する。
次に、撮影制御部４１は、その測位情報付加部４１１で、画像生成部４１０で生成された画像に、入力された測位情報を付加する（ステップＳ１１４）。
次に、撮影制御部４１は、測位情報が付加された画像ファイルを格納部４４に出力し、格納する（ステップＳ１１５）。
【００７３】
一方、照明装置３を使用する必要がない場合には、撮影装置４の撮影制御部４１は、発光制御信号の出力なしに、撮影処理を実行し（ステップＳ１１６）、発光処理が実行される場合と同様に、画像を生成し、画像に対して測位情報を付加し、測位情報が付加された画像ファイルを格納する。
【００７４】
上記の実施例１及び２では、撮影装置４のＧＰＳを利用した測位情報の付加は、照明装置３の装着の有無にかかわらず、撮影処理の後に実行されることになり、撮影装置４の動作自体には差異がなく、測位情報の取得に関し、特殊な設定の必要がない。
一方で、実施例では、撮影装置の本体受信部による、測位情報衛星からの信号の受信が、照明装置によって阻害されるため、測位情報衛星からの信号を、撮影装置の増設受信部で受信した上で、増幅して、本体受信部で受信し得るよう送信する。
【００７５】
このように、本願実施例では、測位情報衛星からの信号を、照明装置で中継し、増幅した上で、撮影装置で受信できるようにするので、測位情報を確実に取得できるようになり、測位エラーの確立を抑制することが可能になる。
【００７６】
なお、上記の実施例においては、照明装置の増幅受信部を介した測位信号の受信から、撮影装置における測位情報の生成は、撮影操作の前後に、撮影操作の時期とは無関係に実行されるが、撮影操作がなされた後に、上記測位信号の受信から測位情報の生成に至るステップを実行するようにしてもよく、この場合、撮影操作に対応した時期に限定して測位情報が生成されるようになって、電源の消耗を最小限に抑制することが可能になる。
【実施例３】
【００７７】
次に、図５に基づき、本発明に係る撮影装置用の照明装置の実施例３について説明する。
この実施例の主要な構成は、実施例１と同様であるので、重複する説明は省略し、相違点を中心に説明する。
【００７８】
図中、５は照明装置、５０は絶縁材、５１は増設受信部、５２は発光部、６は撮影装置である。
この実施例では、発光部５２と、増設受信部５１との間に、絶縁材５０が設けられる。
【００７９】
この絶縁材５０は、発光部５２に内蔵された図示しない発光手段が、例えば、キセノン管を主体としたものである場合のように、発光部の発光に伴い、発光のトリガー信号、及び、発光による高電圧信号が生じる場合、これらの信号により、高感度、高抵抗な構成を有する増設受信部５１への放電が発生することを妨げ、発光による増設受信部５１の破損の防止や、測位処理のエラーの低減を可能とする。
【実施例４】
【００８０】
次に、図６に基づき、本発明に係る撮影装置用の照明装置の実施例４について説明する。
この実施例の主要な構成は、実施例１と同様であるので、重複する説明は省略し、相違点を中心に説明する。
【００８１】
図中、７は照明装置、７０は発光部、７１は発光部の回転軸、７２は第１増設受信部、７３は第２増設受信部である。
この実施例では、測位信号は、第１増設受信部７２及び第２増設受信部７３を介して受信される。
【００８２】
発光部７０は、例えば、バウンス撮影のために、回転軸７１を中心に所要の角度に傾斜可能である。
第１増設受信部７２は、発光部７０の上面に設けられ、発光部７０の傾斜と共に、傾斜する。
【００８３】
第２増設受信部７３は、回転軸７１に取り付けられており、発光部７０が回転軸７１を中心に傾斜しても傾斜せず、かつ、発光部７０の傾斜角度は無関係に、所要の傾斜角度で保持されるよう構成される。
この実施例では、例えば、バウンス撮影のように、発光部７０の角度が、水平でない場合、第１増設受信部７２は、測位情報衛星からの信号を受信し難くなるが、第２増設受信部７３が上方を向くように保持し得るので、第２増設受信部７３を介して測位信号を受信でき、発光部７０の傾斜角度に左右されることなく、測位信号を確実に受信できるようになる。
【００８４】
なお、本実施例では、発光部７０の傾斜角度にかかわらず、測位信号を確実に受信するため、第２増設受信部７３を設けたが、撮影装置８自体を傾斜させたり、縦に構えたときにも、測位信号を受信できるよう、例えば、照明装置７の側面、正面、背面に、増設受信部を設け、受信可能な角度を拡げるようにしてもよい。
【００８５】
本発明は、上記のように構成されるが、上記の実施例に限定されるものではない。
例えば、撮影装置は、一眼レフカメラではなくてもよく、例えば、コンパクトデジタルカメラや、照明装置を増設しうる撮影機能を有する携帯機器であってもよい。
【００８６】
また、上記の実施例では、増設受信部は、照明装置に固定して設けられているが、増設受信部を照明装置本体から着脱可能にし、増設受信部で受信した測位信号を有線または無線を介して、照明装置の制御部に出力又は送信し、測位情報を得るようにしてもよく、この場合、位置情報衛星からの測位信号を受信し難い室内での撮影でも、増設受信部のみを受信可能な位置に移動させることによって、測位情報を利用した画像を生成できるようになる。
【００８７】
また、上記の実施例では、増幅された測位信号を、照明装置の送信部から送信し、撮影装置の本体受信部で受信させるようにし、撮影装置に備えられている測位信号の受信機能をそのまま利用できるようにしたが、装着手段の端子機能を介して、信号情報を回線を通じて直接出力又は送出するようにしてもよい。
【００８８】
また、上記の実施例では、照明装置の送信部は、撮影装置の本体受信部に対面して設けられているが、照明装置の送信部と、撮影装置の本体受信部の相対位置は、必ずしも近接、又は、正対する必要はなく、送信部から送信された信号が本体受信部で受信し得るのであれば、どのような相対位置であってもよい。
【００８９】
また、上記の実施例では、照明装置が受信した測位信号は、照明装置で増幅され、増幅された測位信号が撮影装置に送信されるものであって、照明装置は測位信号の中継を行うものであるが、測位信号を、照明装置内の制御部で測位情報に変換し、無線又は有線を介して、測位情報を撮影装置に送信または出力し、撮影装置で、生成された画像に、入力された測位情報を付加するようにしてもよい。
【００９０】
また、撮影装置に画像出入力手段を設け、撮影装置で生成された画像情報を、無線又は有線を介して、照明装置に送信または出力して、照明装置内の制御部で、測位信号から測位情報を生成し、生成された測位情報を、撮影装置から入力された画像情報に付加し、測位情報を備えた画像ファイルを生成するようにしてもよい。
【００９１】
この場合、照明装置に画像ファイルの出力手段を設け、照明装置内で生成された画像ファイルは、撮影装置に送信又は出力し、撮影装置内に格納しても、照明装置に記憶媒体を備えた格納手段を設け、格納してもよい。
さらに、上記のように、照明装置で、撮影された画像に、測位情報を付加する場合、撮影装置に、測位システムを利用する機能がなくても、画像に測位情報を付加できるようになる。
【００９２】
また、照明装置の一部、例えば、背面側（被写体には面しない側）などに、モニタを設け、照明装置の設定画面や、各種処理の進捗状況、照明装置に入力された撮影画像、測位情報、測位位置のマップ等を表示してもよい。
また、上記実施例では、測位システムとして、ＧＰＳ（全地球測位システム）を示したが、ＧＰＳ以外の測位システムを利用してもよい。
また、複数の測位システムが存在する場合には、受信した測位信号の形式を、特定の測位システムの測位信号の形式に変換して、撮影装置に送信または出力してもよく、この場合、撮影装置では直接受信することができない測位システムを利用して、測位情報を含む画像ファイルを生成することができる。
【００９３】
また、上記のように、複数の形式の測位信号が運用されている場合は、測位信号を照明装置で測位情報に変換した上で、撮影装置に送信または出力したり、撮影画像に付加したりしてもよい。
また、測位システムで用いられる測位信号は、測位衛星以外の発信手段、例えば、地下街や屋内などに設けられた発信手段から発信されるものであってもよい。
【００９４】
また、上記実施例では、測位情報を、画像情報に付加して、測位情報を備えた画像ファイルを生成するようにしたが、例えば、測位情報と画像情報の関連付けを行い、画像情報の処理、例えば、閲覧や編集の際に、その画像情報に関連付けられた測位情報を呼び出すようにしてもよい。
さらに、本発明は、本発明の範囲内で自由に設計変更し得るものであり、上記実施例に限定されるものではない。
【産業上の利用可能性】
【００９５】
本発明は、撮影装置に外付けの照明装置を取り付けたときでも、測位システムで用いられる測位信号を確実に受信できるようになり、ユーザの利便性の向上の点で利用可能性が高い。
【符号の説明】
【００９６】
１      照明装置
１０    発光部
１１    増設受信部
１２    制御部筐体
１２０  増幅部
１３    送信部
１４    装着手段
２      撮影装置
２０    本体受信部
２１    シャッタボタン
２２    レンズ
３      照明装置
３０    電源
３１    電源制御部
３２    照明装置制御部
３３    発光部
３４    ＧＰＳ制御部
３５    増設受信部
３６    増幅部
３７    送信部
３７０  測位信号
４      撮影装置
４０    電源
４１    撮影制御部
４１０  画像生成部
４１１  測位情報付加部
４２    ＧＰＳ制御部
４２０  測位情報生成部
４３    本体受信部
４４    格納部
５      照明装置
５０    絶縁材
５１    増設受信部
５２    発光部
６      撮影装置
７      照明装置
７０    発光部
７１    回転軸
７２    第１増設受信部
７３    第２増設受信部
【図１】
2014044314.tif 000003
【図２】
2014044314.tif 000004
【図３】
2014044314.tif 000005
【図４】
2014044314.tif 000006
【図５】
2014044314.tif 000007
【図６】
2014044314.tif 000008